(57)【特許請求の範囲】
【請求項１】
開口縁が内方に突出され、ボルトの頭部やナットが摺動可能に挿入されるレール溝が上面両側に長手方向に沿って設けられた長方形状のパネルの高架構造物の桁裏面への取付構造であって、各パネルは、一方のレール溝の両端部は、梁材のフランジに戴置された取付部材によって梁材に支持されると共に、他方のレール溝の両端部は、レール溝に頭部を挿入した取付ボルトが梁材に穿設された取付孔に挿入されて梁材に固定され、前記取付部材は、取着孔が穿設され、この取着孔及びレール溝を利用してボルト、ナットによりパネルに摺動可能に取着される基板部と、その基板部の先端より下方に垂下され、先に梁材に固定された隣接する他のパネルのレール溝に挿入されて、パネルを隣接する他のパネルに連結支持させる挿入片部と、一側部より立ち上げられて側方に突出され、梁材のフランジに戴置させる突出片部とを有することを特徴とするパネルの取付構造。
【請求項２】
取付部材の基板部は、取着孔から挿入したアイボルトが、レール溝に挿入したナットに螺着され、前記アイボルトに落下防止ワイヤーが挿通されていることを特徴とする請求項１に記載のパネルの取付構造。
【請求項３】
開口縁が内方に突出され、ボルトの頭部やナットが摺動可能に挿入されるレール溝が上面両側に長手方向に沿って設けられた長方形状のパネルを高架構造物の桁裏面に取付けるための取付部材であって、取着孔が穿設され、この取着孔及びレール溝を利用してボルト、ナットによりパネルに摺動可能に取着される基板部と、その基板部の先端より下方に垂下され、先に梁材に固定された隣接する他のパネルのレール溝に挿入されて、パネルを隣接する他のパネルに連結支持させる挿入片部と、一側部より立ち上げられて側方に突出され、梁材のフランジに戴置させる突出片部とを有することを特徴とするパネルの取付部材。
【発明の詳細な説明】
【０００１】
【発明の属する技術分野】
本発明は、主として橋梁や高架道路等の高架構造物の桁裏面に取付けられるパネルの取付構造及びバネルの取付部材に関するものである。
【０００２】
【従来の技術】
高架道路等の高架構造物の桁裏面には、その下を通行する車両の騒音が桁裏面で反射して周囲に騒音が漏れるのを防止するために吸音性を有する吸音パネルや、または桁裏面の美粧化を図るための化粧パネル等、各種パネルが取付けられることがある。従来、かかる桁裏面へのパネルの取付構造は、例えば、開口縁が内方に突出されたレール溝が上面両側に長手方向に沿って設けられた  長方形状のパネルを用い、この各レール溝に取付ボルトの頭部を摺動可能に必要数予め挿入しておくと共に、パネルの両端部にパネルとそれぞれ直交するように配置した梁材のフランジには予め取付孔を穿設しておき、そしてパネルを梁材の高さ付近まで持ち上げ、その持ち上げた状態で、取付ボルトを摺動させて前記取付孔に位置合わせすると共に、取付孔に挿入し、ナット締めすることにより、各レール溝の両端部、すなわちパネルの４隅が梁材に固定されていた。
【０００３】
【発明が解決しようとする課題】
しかしながら重量物であるパネルを梁材の高さ付近まで持ち上げた状態で、取付ボルトを摺動させて梁材の取付孔に位置合わせすることは、パネルが揺れたり動いたりするために、又４隅の位置合わせが必要なため、容易ではなく、非常に手間な作業であり、且つ落下の恐れがある危険な作業であることから、極めて熟練を要していた。
【０００４】
そこで本発明は、上記の如き問題を解決し、作業性および安全性を向上させたパネルの取付構造及びパネルの取付部材を提供せんとするものである。
【０００５】
【課題を解決するための手段】
上記目的を達成するために、本発明は次のような構成としている。
すなわちこの発明に係るパネルの取付構造は、開口縁が内方に突出され、ボルトの頭部やナットが摺動可能に挿入されるレール溝が上面両側に長手方向に沿って設けられた長方形状のパネルの高架構造物の桁裏面への取付構造であって、各パネルは、一方のレール溝の両端部は、梁材のフランジに戴置された取付部材によって梁材に支持されると共に、他方のレール溝の両端部は、レール溝に頭部を挿入した取付ボルトが梁材に穿設された取付孔に挿入されて梁材に固定され、前記取付部材は、取着孔が穿設され、この取着孔及びレール溝を利用してボルト、ナットによりパネルに摺動可能に取着される基板部と、その基板部の先端より下方に垂下され、先に梁材に固定された隣接する他のパネルのレール溝に挿入されて、パネルを隣接する他のパネルに連結支持させる挿入片部と、一側部より立ち上げられて側方に突出され、梁材のフランジに戴置させる突出片部とを有することを特徴とするものである。
【０００６】
本発明によれば、各パネルは、一方のレール溝の両端部は取付部材の突出片部が梁材のフランジに戴置されることによって梁材に支持されると共に、他方のレール溝の両端部はレール溝に頭部を挿入した取付ボルトが梁材に穿設された取付孔に挿入されて梁材に固定されることから、取付ボルトの梁材の取付孔に対する位置合わせは、２箇所でよく、位置合わせが容易となる。
【０００７】
しかも取付部材は、基板部によってこれから梁材に取付けようとするパネルに摺動可能に取着されると共に、先に梁材に固定された隣接する他のパネルのレール溝に挿入片部が挿入されて、取付けようとするパネルが、先に梁材に固定された他のパネルに連結支持されることから、この連結支持によってパネルの揺れや動きが規制されるので、前記取付ボルトの梁材の取付孔に対する位置合わせは、極めて容易となり、且つパネルの落下の危険性も低減される。
【０００８】
なお、取付部材の基板部をパネルに取着するに際し、リング状頭部を有するアイボルトを使用し、取着孔から挿入したアイボルトを、レール溝に挿入したナットに螺合すると共に、前記アイボルトに落下防止ワイヤーが挿通するようにすれば、アイボルトの回転が落下防止ワイヤーによって阻止されるので、アイボルトが緩まず、取付部材のパネルからの脱落が防止される。
【０００９】
次に、本発明に係るパネルの取付部材は、開口縁が内方に突出され、ボルトの頭部やナットが摺動可能に挿入されるレール溝が上面両側に長手方向に沿って設けられた長方形状のパネルを高架構造物の桁裏面に取付けるための取付部材であって、取着孔が穿設され、この取着孔及びレール溝を利用してボルト、ナットによりパネルに摺動可能に取着される基板部と、その基板部の先端より下方に垂下され、先に梁材に固定された隣接する他のパネルのレール溝に挿入されて、パネルを隣接する他のパネルに連結支持させる挿入片部と、一側部より立ち上げられて側方に突出され、梁材のフランジに戴置させる突出片部とを有することを特徴とするものである。
【００１０】
この取付部材を使用して、パネルを高架構造物の桁裏面に取付けるに際して、前記本発明に係るパネルの取付構造について記載された如き構成とすることにより、パネルの取付作業が容易となり、又落下の危険性が低減することから、作業性および安全性が向上する。
【００１１】
【発明の実施の形態】
次に、本発明の実施の形態について図面を参照し、具体的に説明する。
【００１２】
まず、図１は本発明に係るパネルの取付構造の実施の一形態を示す背面図、図２はその主要部の斜視図、図３は分解斜視図である。
【００１３】
図面において、１は橋梁や高架道路等の高架構造物の桁裏面に設けられたＨ型鋼からなる梁材である。２はこの桁裏面を覆うように複数配列された長方形状のパネルであり、各パネル１は、その上面両側には、開口縁３１が内方に突出され、その開口縁３１に係止されてボルトの頭部やナットが摺動可能に挿入されるレール溝３が長手方向に沿って設けられているものである。
【００１４】
前記パネル２は、本形態においては、高架構造物の下を通行する車両の騒音が桁裏面で反射して周囲に騒音が漏れるのを防止するための吸音性を有し、且つ上面は凹凸状となされ且つメンテナンス時に作業者がこの上に乗って作業できる強度を有する吸音パネルとなされているが、桁裏面の美粧化を図るための化粧パネルであってもよく、特にその形態は限定されるものではない。
【００１５】
各パネル２は、一方のレール溝３ａの両端部にそれぞれ取付部材４が取着され、この取付部材４が梁材１のフランジ１１上に戴置されてその両端部が支持されると共に、他方のレール溝３ｂの両端部はこのレール溝３ｂに頭部を挿入した取付ボルト５が梁材１のフランジ１１に穿設された取付孔１２に挿入されて梁材１のフランジ１１に固定されることにより、梁材１に取付けられている。
【００１６】
前記取付部材４は、任意数の取着孔４１（本形態では２個）が穿設された基板部４２と、その基板部４２の先端より下方に垂下された挿入片部４３と、基板部４２の一側部より立ち上げられて側方に突出された突出片部４４とから構成されているものであって、一方のレール溝３ａにボルト３２の頭部及びナット３３が摺動可能に挿入され、このレール溝３ａに対向配置した取付部材４の基板部４２の２個の取着孔４１の一方の取着孔４１より前記ボルト３２を突出させて取着ナット３４を螺着すると共に、リング状の頭部を有するアイボルト３５を他方の取着孔４１より挿通し、前記レール溝３ａ内のナット３３に螺着することにより、基板部４２はパネル１のレール溝３ａ上に摺動可能に取着される。なお前記アイボルト３５には、梁材１に係止された落下防止ワイヤー６が挿通され、パネル２の落下防止を図ると共に、不必要に回転して緩まないようになされている。
【００１７】
又挿入片部４３は、先に梁材１に固定された隣接する他のパネル２のレール溝３に挿入されており、この挿入片部４３により、各パネル２は隣接する他のパネル２に連結支持される。さらに突出片部４４は、梁材１のフランジ１１に戴置されており、この突出片部４４により、各パネルの一方のレール溝３ａの両端部は梁材１に支持される。
【００１８】
次に、かかる形態におけるパネルの取付方法を説明する。
まず、パネル２の一方のレール溝３ａに、取付部材４を取着するためのボルト３２の頭部及びナット３３をそれぞれ挿入し、そして取付部材４を前記レール溝３ａに対向配置すると共に、挿入したボルト３２及びナット３３を適当な位置に摺動させて、基板部４２に穿設された２個の取着孔４１と位置合わせを行い、２個の取着孔４１の一方の取着孔４１より前記ボルト３２を突出させて取着ナット３４を螺着すると共に、リング状の頭部を有するアイボルト３５をもう一方の取着孔４１より挿通し、前記レール溝３ａ内のナット３３に螺着することにより、まず、取付部材４をパネル２の任意の位置に摺動可能に取着する。又パネル２の他方のレール溝３ｂには、梁材１に固定するための取付ボルト５の頭部を挿入しておく。
【００１９】
そしてこのパネル２を持ち上げ、先に梁材１に固定された他のパネル２に隣接配置すると共に、取付部材４の挿入片部４３を先に梁材１に固定された隣接する他のパネル２のレール溝３に挿入し、持ち上げたパネル２の片側を隣接する前記他のパネル２に連結支持させる。
【００２０】
このようにして持ち上げたパネル２の片側を隣接する前記他のパネル２に連結支持させた状態で、取付部材４を取着していない一方のレール溝３ｂの両端部を梁材１に固定する。この固定は、レール溝３ｂに頭部を挿入した取付ボルト５を、梁材１のフランジ１１に穿設した取付孔１２の位置まで摺動させると共に、取付孔１２に挿通してナット５１を螺着すればよい。この場合、パネル２の片側は隣接する他のパネル２に連結支持されているので、梁材１の取付孔１２に対する取付ボルト５の位置合わせが容易であり、且つその際に持ち上げたパネル２の落下の危険性も低減される。
【００２１】
次いで、レール溝３ａの取付部材４をそれぞれ端部に摺動させ、取付部材４の突出片部４４を、梁材１のフランジ１１上に戴置させ、このレール溝３ａの両端部を梁材１に支持させる。そして取着ナット３４及びアイボルト３５を強く締め付けて取付部材４が動かないように固定する。さらに取付部材４を取着するアイボルト３５に落下防止ワイヤー６を挿通させる。
【００２２】
かようにして、各パネル２を、先に梁材１に固定されたパネル２に隣接配置すると共に、その隣接する他のパネル２に連結支持させつつ、順次梁材１に取付けていけばよい。
【００２３】
なお、上記構成の取付部材４を使用して、上記形態の如くパネル２を桁裏面に取付ける場合、上記形態では、パネル２の一方のレール溝３ａの両端部は、それぞれ取着された取付部材４によって梁材１に支持されているが、他方のレール溝３ｂの両端部も、すなわちパネル２の４隅を取付部材４によって梁材１に支持させてもよく、使用する取付部材４の数は特に限定されるものではない。又パネル２の４隅を取付部材４によって梁材１に支持させ、他の部分を取付ボルト５により梁材１に固定するようにしてもよい。
【００２４】
【発明の効果】
本発明に係るパネルの取付構造によれば、各パネルは、一方のレール溝の両端部は取付部材の突出片部が梁材のフランジに戴置されることによって梁材に支持されると共に、他方のレール溝の両端部はレール溝に頭部を挿入した取付ボルトが梁材に穿設された取付孔に挿入されて梁材に固定されることから、取付ボルトの梁材の取付孔に対する位置合わせは、２箇所でよく、位置合わせが容易となる。
【００２５】
しかも取付部材は、基板部によってこれから梁材に取付けようとするパネルに摺動可能に取着されると共に、先に梁材に固定された隣接する他のパネルのレール溝に挿入片部が挿入されて、取付けようとするパネルが、先に梁材に固定された他のパネルに連結支持されることから、この連結支持によってパネルの揺れや動きが規制されるので、前記取付ボルトの梁材の取付孔に対する位置合わせは、極めて容易となり、且つパネルの落下の危険性も低減される。
【００２６】
又、本発明に係るパネルの取付部材を使用することにより、パネルの取付作業が容易となり、又落下の危険性が低減することから、作業性および安全性が向上する。
【図面の簡単な説明】
【図１】本発明に係るパネルの取付構造の実施の一形態を示す背面図である。
【図２】図１の主要部の斜視図である。
【図３】図１の分解斜視図である。
【符号の説明】
１    梁材
１１  フランジ
１２  取付孔
２    パネル
３    レール溝
３１  開口縁
３２  ボルト
３３  ナット
３４  取着ナット
３５  アイボルト
４    取付部材
４１  取着孔
４２  基板部
４３  挿入片部
４４  突出片部
５    取付ボルト
５１  ナット
６    落下防止ワイヤー
【図１】
0003792072.tif 000002
【図２】
0003792072.tif 000003
【図３】
0003792072.tif 000004